(57)【特許請求の範囲】
【請求項１】
商品の価格データを入力する価格データ入力手段と、前記価格データに基づいて商品の販売額を計算するレジと、各商品に対応して設けられ、前記価格データに対応する価格表示を行うと共にその電源としての電池を有する電子式プライスカードとを備え、前記レジで使用する価格データと前記価格データに基づく前記電子式プライスカードの価格表示とを同時に変更するようにして成り、
前記電子式プライスカードは前記電池の情況を付加した返信データを前記価格データ入力手段に送信することを特徴とする価格表示装置。
【請求項２】
前記電子式プライスカードは、前記電池の電圧を検出するセンサを備え、前記電池が所定電圧になったことを前記センサが検出したとき、電池交換や二次電池の充電要求を前記価格データ入力手段に送信することを特徴とする請求項１記載の価格表示装置。
【請求項３】
前記価格データを、前記価格データ入力手段から前記電子式プライスカードに無線送信する送信手段を備えたことを特徴とする請求項１又は２記載の価格表示装置。
【発明の詳細な説明】
【０００１】
【発明の属する技術分野】
本発明は、スーパーマーケットやデパート等において商品の価格を表示する価格表示装置に関する。
【０００２】
【従来の技術】
従来から、スーパーマーケットやデパート等において、客が購入した商品の代金をレジで清算する方法として、商品に貼付したバーコードラベルをレジで読み取ることによって自動的に販売額を計算する方法が採用されている。
【０００３】
ところで、生鮮食品等の賞味期限がある商品は、その日中に定価で完売することが望ましく、翌日へ持ち越すことは避ける必要がある。そのために、商品が閉店時までに極力完売となるように、商品の在庫数を考慮しながら、随時、商品の値引き販売を行っている。
また、商品の値引き販売を行う場合、値引き後の値引き価格を表示した値引きラベルを、値引き対象商品や値引き対象商品の陳列棚等に貼付して表示し、レジでは前記値引き価格を使用して販売額を計算し、代金の清算を行っている。
【０００４】
【発明が解決しようとする課題】
前述したような方法で商品の値引き価格を表示する場合、商品に値引きラベルを貼付する時刻と、レジにおいて値引き価格で処理開始できる時刻との間に時間差が生じた場合、売場で客が商品を手にした時の価格とレジで計算する際に使用する価格が異なってしまうという問題があった。
また、値引き価格を設定する場合、極力商品を完売すると共に高い利益を上げうる様な値引き価格の設定は困難という問題があった。
【０００５】
本発明は、商品価格の表示を行うと共に表示価格とレジで使用する商品価格が相違する事態の発生を防止した価格表示装置を提供することを課題としている。また、本発明は、適切な価格変更が可能な価格表示装置を提供することを課題としている。
【０００６】
【課題を解決するための手段】
本発明の価格表示装置は、商品の価格データを入力する価格データ入力手段と、前記価格データに基づいて商品の販売額を計算するレジと、各商品に対応して設けられ、前記価格データに対応する価格表示を行う電子式プライスカードとを備え、前記レジで使用する価格データと前記価格データに基づく前記電子式プライスカードの価格表示とを同時に変更することを特徴としている。
【０００７】
商品価格の変更や新たな設定を行う場合、価格データ入力手段から商品の価格データを入力する。前記価格データレジで使用されると共に、電子式プライスカードによって前記価格データに対応する価格表示が行われる。このとき、前記レジで使用する価格データと前記価格データに基づく前記電子式プライスカードの価格表示は同時に変更される。
【０００８】
また、前記価格データ入力手段は、商品の在庫数及び時刻データに基づいて、当該商品の価格データを変更するように構成することができる。
さらに、前記価格データを、送信手段によって、前記価格データ入力手段から前記電子式プライスカードに無線送信するように構成することができる。
【０００９】
【発明の実施の形態】
以下、本発明の実施の形態を図面に従って説明する。尚、各図において、同一部分には同一符号を付している。
図１は、本発明の実施の形態に係る価格表示装置の全体システム図である。図１において、表示装置、中央処理装置（ＣＰＵ）、キーボード等から成る周知のハードウエア構成のパーソナルコンピュータによって構成され、スーパーマーケットの管理室に配置された管理装置１０１で商品名、商品の価格、値引き価格等、後述する各種データが入力される。前記入力されたデータは、磁気ディスク等によって構成され、記憶手段を構成する記憶装置１２４に記憶される。
【００１０】
商品の価格データは、商品名に対応するＩＤコードと対になった商品データとして、後述する中継器１０３、１１３の機器番号を表す機器番号コードとともに、特定小電力方式の電波あるいはスペクトラム拡散（ＳＳ）方式の微弱電波等の無線により、送受信器１０２から送出される。送受信器１０２、中継器１０３、１１３は送信手段又は送受信手段を構成している。
【００１１】
送受信器１０２からの信号はスーパーマーケットの所定位置に配設された中継器１０３、１１３で受信される。受信信号中の機器番号コードが中継器１０３の機器番号コードと一致する場合には、中継器１０３から、中継器１０３が管轄する電子式プライスカード１０７〜１１２へ向けて商品データが送信される。即ち、送受信器１０２からの電波信号は、中継器１０３を構成する電波送受信器１０４で受信され、受信した機器番号コードが中継器１０３の機器番号コードと一致する場合には、送受信器１０４と有線接続された送受信器１０５から、微弱電波、赤外線あるいは有線にる低消費電力化された通信方式により、商品データが送信される。
【００１２】
送受信器１０５からの商品データは商品の陳列棚１０６に配設されたプライスカード１０７〜１１２によって受信される。商品データには商品の価格と該商品名に対応するＩＤコードが含まれているため、ＩＤコード即ち商品名が一致するプライスカードのみが対応する商品データを受信処理し、価格データに対応する価格を更新表示する。尚、送受信器１０２からの機器番号コードが中継器１０３の機器番号コードと一致しなければ、中継器１０３からは商品データが送信されず又、ＩＤコードが一致しないプライスカードは価格表示を更新しない。
【００１３】
送受信器１０２からの機器番号コードが中継器１１３と一致する場合には、中継器１１３を介して前記同様の動作が行われる。即ち、送受信器１０２からの信号は、中継器１１３を構成する送受信器１１４、送受信器１１５で各々受信、送信され、陳列棚１１６に配設された電子式プライスカード１１７〜１２２によって商品データが受信され、ＩＤコードの一致するプライスカードで価格表示が更新される。尚、送受信器１０２からの信号が、中継器１１３の機器番号コードやプライスカード１１７〜１２２のＩＤコードと相違する場合には、プライスカード１１７〜１２２では価格表示の更新処理は行われない。
【００１４】
一方、管理装置１０１は、表示装置、ＣＰＵ、キーボード等から成る周知のハードウエア構成のコンピュータによって構成されたＰＯＳ（Point of Sales）本体装置１２３と有線接続されており又、ＰＯＳ本体装置１２３は有線でレジ１２５〜１２７に接続されている。商品名、該商品の価格データ、在庫数量等の各種データは、管理装置１０１、ＰＯＳ本体装置１２３のいずれからも入力することが可能になっており、一方から入力されたデータは他方に送信され、前記データに変更される。これにより、管理装置１０１、ＰＯＳ本体装置のいずれか一方で入力されたデータは、ＰＯＳ本体装置１２３に接続された記憶装置（図示せず）に記憶されると共に、記憶装置１２４に記憶され、データが一元管理される。管理装置１０１、ＰＯＳ本体装置は価格データ入力手段を構成している。
【００１５】
図２（ａ）及び（ｂ）は、各々、電子式プライスカード１０７〜１１２、１１７〜１２２の正面図及び背面図である。図２において、プライスカードの正面には、商品名が記載された商品名のラベル２０１が差し込まれ又、緑色の発光ダイオード（ＬＥＤ）あるいはＥＬ（electro-luminescence）素子によって小さい文字で構成され、通常販売価格を表示する通常価格表示部２０２、購買意欲を高めるために赤色のＬＥＤによって大きな文字で目立つように構成され、値引き価格を表示する本日の価格表示部２０３が設けられている。
【００１６】
文字「通常価格」、「本日の価格」及び「円」はシルク印刷によって形成されている。尚、商品名ラベル２０１は、電力的な問題がない場合等には、蛍光表示装置、ＥＬ表示装置あるいは液晶表示装置等のグラフィック表示装置を使用することができる。
プライスカードは乾電池又は二次電池を電源として動作し、これにより電源コードを介しての電源供給を不要とし、売場を移動する場合にも商品の位置に合わせて自由に移動可能となっている。プライスカードの右側面には、前記二次電池を充電するために、充電端子２０４が設けられている。
【００１７】
一方、プライスカードの背面には、プライスカードを商品陳列棚の所定位置に取付けるためのクリップ２０５、有線、微弱電波又は赤外線による送受信方式を選択切換えする切換スイッチ２０６、乾電池又は二次電池を収納するための電池ボックス２０７、商品名に対応するＩＤコードを設定するための８ビットのＩＤコード設定スイッチ２０８が設けられている。その側面には、有線接続用のコネクタ端子２０９が設けられている。
【００１８】
また、ＬＥＤ等を使用して表示するので消費電力も大きいため、稼働中に電源供給不足となって価格表示ができなくなるおそれがある。そこで、プライスカードから、電池の状況を付加した返信データを、管轄の中継器を介して管理装置１０１に送信するようにしている。これによって、売場に配置しているプライスカードの電源状況を管理装置１０１で把握することができ、電池交換又は充電が必要か否かを確認することができる。
【００１９】
図３は本実施の形態に使用する電子式プライスカード１０７〜１１２、１１７〜１２２のブロック図である。図３において、プライスカードは、中継器１０３、１１３と電波で信号の送受を行う電波送受信回路３０１、赤外線で信号を送受信する光送受信回路３０２を備え、又、電波による送受信、赤外線による送受信あるいは有線による送受信を選択的に切換える切換スイッチ２０６を備えている。
【００２０】
また、ＣＰＵ３０３、商品名に対応する８ビットのＩＤコードを設定するためのＩＤコード設定スイッチ２０８、ＣＰＵ３０３の処理プログラムが格納された読み出し専用メモリ（ＲＯＭ）３０４、価格のデータ等を記憶するランダムアクセスメモリ（ＲＡＭ）３０５、通常価格表示部２０２、本日の価格表示部２０３、ＲＡＭ３０５に記憶された価格データに基づいて通常価格表示部２０２及び本日の価格表示部２０３を表示駆動する表示駆動回路３０６を備えている。
さらに、電池の電圧を検出するセンサ３０７を備えており、電池電圧が所定値以下になると、これをＣＰＵ３０３が検出して電池交換や二次電池の充電要求を、中継器１０３、１１３及び送受信器１０２を介して管理装置１０１に送信する。
【００２１】
図４は、本実施の形態に使用する中継器１０３、１１３のブロック図である。図４において、中継器は、送受信器１０２との間で電波信号を送受信する電波送受信回路４０１、ＣＰＵ４０２、中継器の機器番号を設定する８ビットの機器番号設定スイッチ４０３、ＣＰＵ４０２の処理プログラムが格納されたＲＯＭ４０４、価格データ等を一時記憶するＲＡＭ４０５、電波、赤外線又は有線による送受信方式を選択的に切換える切換スイッチ４０６、プライスカードと微弱電波で送受信を行う電波送受信回路４０７、プライスカードと赤外線で送受信を行う光送受信回路４０８とを備えている。
【００２２】
図５は、図１の管理装置１０１における表示部の画面表示を示しており、記憶装置１２４に記憶された商品に関する各種情報が表示される。即ち、当日の年月日、商品名、商品名に対応するＩＤコード、商品の通常価格、商品の現在の在庫数、商品の現在までの売上金額、商品の値引きを行う際に活用する時刻と設定価格及び商品在庫数の対応リスト、前日までの在庫数、本日の入荷数、本日の在庫数（＝前日までの在庫数＋本日の入荷数）、本日の天候情報（天気、温度、湿度）、過去の販売実績リスト（年月日、商品の在庫数、完売した場合は「ＯＫ」の表示、完売できなかった場合は「ＮＧ」の表示）が表示されている。尚、当日の価格データ及び在庫数データは、ＰＯＳ本体装置１２３から管理装置１０１へ送られる。
【００２３】
ここで、時刻、設定価格及び在庫数の対応表について説明すると、１４時の時点での在庫数が２５０以上で設定価格が１５０円のとき、１５時の時点でも在庫数が２００以上であれば設定価格を１３０円の値引き価格にすることを示している。同様に、１７時の時点での在庫数が１００以上で設定価格が１３０円のとき、１８時の時点でも在庫数が１００以上であれば設定価格を１００円に値引きすることを示している。前記対応表に基づいて、管理装置１０１は自動的に価格変更を行い、プライスカード１０７〜１１２、１１７〜１２２へ値引き価格データを送信し、価格表示を更新する。尚、前日までの在庫数、本日の入荷数及び本日の在庫数はＰＯＳ本体装置１２３から供給されるデータである。また、過去データは、天気、温度及び湿度の類似度が所定値以上の日のデータを表示する。
【００２４】
これらの各表示位置にカーソル（図示せず）を位置させて、キーボードあるいはマウス等の入力装置（図示せず）から入力することにより、商品名、通常価格、時刻、設定価格、在庫数等の各種データの追加、更新、変更が可能になっている。また、過去データの年月日にカーソルを合わせてマウスをクリックすることにより、当該年月日のデータを図５の表示形式で表示できるように構成されている。
【００２５】
さらに、商品の数量を設定するための「数量」キー、値引き価格を重さ単位で設定する際に単位重さを設定する「重さ」キー、特定数の先着者に値引き価格で販売する場合に先着人数を設定する「先着名」キー、画面表示ページのＵＰ／ＤＯＷＮを行う矢印キー、データを記憶装置１２４に登録するときにプライスカード及びＰＯＳ本体装置１２３にデータを送信する「登録」キー、データをクリアする「クリア」キー、表示を前の画面へ戻す「戻す」キーが設けられ、データ入力や各種操作を表示画面から行うことができるように構成されている。
【００２６】
図６及び図７は管理装置１０１のＣＰＵの処理を示すフローチャートであり又、図８は各プライスカード１０７〜１１２、１１７〜１２２のＣＰＵ３０３の処理を示すフローチャートである。
【００２７】
以下、図１〜図８を用いて、本実施の形態の動作を説明する。尚、送受信器１０２、中継器１０３、１１３、プライスカード１０７〜１１２、１１７〜１１２間の信号の送受信は、電波で行うようにプライスカード１０７〜１１２、１１７〜１１２の切換スイッチ２０６及び中継器１０３、１１３の切換スイッチ４０６が設定されているものとする。
【００２８】
先ず、管理装置１０１では、それ自身から商品名や値引き価格等の各種データが入力されたか否かを判別し（図６のステップ６０１）、入力されていなければＰＯＳ本体装置１２３からのデータ入力の有無を判別する（ステップ６０２）。ＰＯＳ本体装置１２３からもデータ入力が行われていなければ、設定時刻になったか否かを判別する（ステップ６０３）。この設定時刻は、図５の時刻、設定価格及び在庫数の対応表で設定された時刻である。設定時刻になっていなければ処理を行わずにステップ６０１へ戻る。
【００２９】
一方、ステップ６０２においてＰＯＳ本体装置１２３からデータ入力があった場合には、管理装置１０１は、前記データと同一のデータに記憶装置１２４のデータを更新する（ステップ６０７）。次にプライスカードのデータを更新しない場合は処理を終了し、更新する場合はプライスカードのデータ更新処理を行う（ステップ６０８、６０９）。前記データが価格データの場合、レジ１２５〜１２７で使用する価格データと、前記価格データに対応するプライスカード１０７〜１１２、１１７〜１２２の表示が同時に変更される。
【００３０】
ステップ６０３において設定時刻になったと判断した場合、図５の時刻、設定価格及び在庫数の対応表で設定された設定在庫数よりも現在の商品在庫数よりも多いか否かを判別する（ステップ６０４）。このとき、現在の在庫数が、設定在庫数よりも少なければ処理を終了してステップ６０１へ戻るが、設定在庫数よりも多い場合は、プライスカードの本日の価格表示部２０３に表示された値引き価格を図５の設定価格に更新するために、プライスカードへ商品データを送信処理する（ステップ６０５）。
【００３１】
同時に、ＰＯＳ本体装置１２３の価格データと一致させるために、ＰＯＳ装置１２３へも設定価格更新データを送信する（ステップ６０６）。ステップ６０５においてプライスカードの価格データを表示更新する場合、管理装置１０１は送受信器１０２を介して、中継器１０３、１１３へ商品データとともに機器番号コードを送信する。前記機器番号コードが、中継器１０３に対応するものであれば、中継器１０３はこれを判別して、前記商品データを受信処理する。尚、このとき、中継器１０４は、自己の機器番号コードと異なるため、前記商品データの受信処理は行わない。
【００３２】
中継器１０３は、受信した前記商品データを管轄下のプライスカード１０７〜１１２に送信する。各プライスカード１０７〜１１２は、管理装置１０１からデータ更新要求があったことを判別し（図８のステップ８０１）、商品データに含まれるＩＤコードが自己のＩＤコードと一致するか否かを判別する（ステップ８０２）。自己のＩＤコードと一致しないプライスカードは、それ以降の処理は行わない。
【００３３】
自己のＩＤコードと一致するプライスカードは、価格データを更新するか否かを判別し（ステップ８０３）、価格データが通常価格に関するものであれば通常価格表示部２０２の表示価格を更新処理し（ステップ８０７）、本日の価格に関するものであれば本日の価格表示部２０３の表示価格を更新処理する（ステップ８０８）。
【００３４】
ステップ８０３において、価格データの更新を行わない場合、商品の残り個数のデータを更新するか否かを判別する（ステップ８０４）。更新すると判別した場合、当該プライスカードに残り個数表示エリアがある場合には残り個数の表示を更新し（ステップ８０６）、残り個数表示エリアが無ければ表示を更新せずに終了する。また、ステップ８０４において、残り個数データを更新しない場合にも、処理を行わずに終了し、ステップ８０１へ戻る。
【００３５】
一方、図６のステップ６０１でデータ入力がある場合、商品名又は当該商品のＩＤコードの入力があれば、当該商品の表示画面に切り換える。これにより、図５の表示が行われ、ステップ６０１に戻る（ステップ７０１、７０９）。商品名又は当該商品のＩＤコードが入力されない場合は、ステップ７０２へ進んで、図５の時刻、設定価格及び在庫数の対応表の各データを設定入力するか否かを判別し、これらのデータを入力する場合には、入力されたデータを更新する（ステップ７１２）。
【００３６】
ステップ７０２で時刻、設定価格及び在庫数の設定入力を行なわず、本日の天候情報を入力する場合（ステップ７０３）、天候データを更新し（ステップ７０７）、該天候データと一定値以上の類似度を有する過去データを切換え表示する（ステップ７０８）。
ステップ７０３で天候データを入力せず、過去の詳細データを入力する場合には、図５に表示された過去の「年月日」をマウス等の入力装置でクリックすることにより、図５に対応する過去データの画面表示を行う（ステップ７１１）。
【００３７】
ステップ７０４で過去の詳細データを入力せず、登録入力する場合には記憶装置１２４に記憶すると共に、プライスカードとＰＯＳ本体装置１２３へデータを送信する（ステップ７０６）。これにより、プライスカードでの表示価格とレジ１２５〜１２７で使用する価格データは一致することになる。登録入力を行わない場合はデータ入力画面に切り換えてステップ６０１へ戻る（ステップ７１０）。
【００３８】
図９は、電子式プライスカードの第２の実施の形態を示す正面図である。本実施の形態では、重さ単位で価格表示を可能にするように構成されている。即ち、通常の単位重さを表示する重さ表示部９０１、本日の単位重さを表示する重さ表示部９０３、単位重さ当たりの通常価格を表示する通常価格表示部９０２と、単位重さ当たりの本日の価格（値引き価格）を表示する本日の価格表示部９０４を備える構成となっている。図９では、単位重さとして「１００ｇ」が表示されており、この重さの設定は、図５の「重さ」キーを操作することにより設定できる。これにより、重さ単位で、通常価格と値引き価格を表示することが可能になる。
【００３９】
図１０は、電子式プライスカードの第３の実施の形態を示す図である。本実施の形態では、広告に掲載した広告の価格を表示する広告価格表示部１００１および値引き後の現在の価格を表示する現在価格表示部１００３を備えた構成となっている。これにより、広告に掲載した際の商品価格と現在価格を対比して表示することが可能になる。
【００４０】
図１１は、電子式プライスカードの第４の実施の形態を示す図である。本実施の形態では、一定数の先着者に対して、値引きした価格で提供できるような表示を行うことができるように構成されている。即ち、先着者の人数を表示する先着者人数表示部１０１１、先着者へ値引き価格で販売する商品の残り数を表示する残り数表示部１０１２、先着者へ販売する値引き価格を表示する先着者価格表示部１０１３を備えた構成となっている。先着者の人数は、図５の「先着名」キーを操作することにより設定することができる。これにより、先着者へ販売する値引き商品の残り数等を表示することが可能になる。
【００４１】
以上述べたように本実施の形態によれば、商品の価格データを入力する管理装置１０１、ＰＯＳ本体装置１２３と、前記価格データに基づいて商品の販売額を計算するレジ１２５〜１２７と、各商品に対応して設けられ、前記価格データに対応する価格表示を行う電子式プライスカード１０７〜１１２、１１７〜１２２とを備え、前記レジ１２５〜１２７で使用する価格データと前記価格データに基づく前記電子式プライスカード１０７〜１１２、１１７〜１２２の価格表示とを同時に変更するようにしているので、客が商品を手にした時の価格とレジで清算するときの価格を一致させることが可能になり、売場での商品価格とレジにおける商品価格を一元化して管理できる。
【００４２】
商品の在庫数及び時刻データに基づいて、管理装置１０１によって当該商品の価格データを変更することにより、生鮮食品のような長期在庫が困難な商品等に対して適切な価格設定を行い、極力在庫を抑制しながら利益を上げる適切な価格設定が可能になる。尚、このとき、過去の販売実績データや天候データ等を考慮に入れて商品の在庫数及び時刻データから価格データを変更することにより、より精度の高い価格設定が可能になる。
【００４３】
また、商品データの送信も電波や赤外線等の無線信により行っているので、商品の売場位置に制約が少なくなり、商品売場位置を移動させる場合の自由度が高くなるという効果を奏する。
さらに、従来は値引きラベルを商品に貼付していたため、レジでは値引き価格の入力にバーコードは使用できないため自動化できなかったが、本実施の形態によれば販売店舗の自動化を図ることが可能になり、店舗開店前に生じる人手不足を解消することが可能になる等の効果を奏する。
【００４４】
尚、前記実施の形態では、信号の送受信を電波で行う例を説明したが、切換スイッチ２０６、４０６を赤外線側または有線側に切換接続すれば、赤外線や有線により行うことが可能であり、その場合の動作は前述した電波の場合と同様である。
【００４５】
【発明の効果】
本発明によれば、売場での商品価格とレジにおける商品価格を一元化して管理することができ、客が商品を手にした時の価格とレジで清算するときの価格を一致させることが可能になる。
【００４６】
また、商品の価格変更を適切に行うことができ、在庫を抑制することが可能になる。さらに、商品の売場位置に制約が少なくなり、商品売場位置を移動させる場合の自由度が高くなるという効果を奏する。
【図面の簡単な説明】
【図１】  本発明による価格表示装置の実施の形態に係る全体システム構成図である。
【図２】  電子式プライスカードの第１の実施の形態を示す正面図及び背面図である。
【図３】  図２の電子式プライスカードのブロック図である。
【図４】  本発明の実施の形態に使用する中継器のブロック図である。
【図５】  本発明の実施の形態に使用する管理装置の表示画面である。
【図６】  本発明の実施の形態に使用する管理装置の処理を示すフローチャートである。
【図７】  本発明の実施の形態に使用する管理装置の処理を示すフローチャートである。
【図８】  本発明の実施の形態に使用する電子式プライスカードの処理を示すフローチャートである。
【図９】  電子式プライスカードの第２の実施の形態を示す正面図である。
【図１０】  電子式プライスカードの第３の実施の形態を示す正面図である。
【図１１】  電子式プライスカードの第４の実施の形態を示す正面図である。
【符号の説明】
１０１：価格データ入力手段を構成する管理装置
１０２：送信手段を構成する送受信器
１０３、１１３：送信手段を構成する中継器
１２３：価格データ入力手段を構成するＰＯＳ本体装置
１２５〜１２７：レジ
１０７〜１１２、１１７〜１２２：電子式プライスカード
【図１】
0003960684.tif 000002
【図２】
0003960684.tif 000003
【図３】
0003960684.tif 000004
【図４】
0003960684.tif 000005
【図５】
0003960684.tif 000006
【図６】
0003960684.tif 000007
【図７】
0003960684.tif 000008
【図８】
0003960684.tif 000009
【図９】
0003960684.tif 000010
【図１０】
0003960684.tif 000011
【図１１】
0003960684.tif 000012